(57)【特許請求の範囲】
【請求項１】
画面に画像を表示する第一の表示部及び第二の表示部と、
画像データの情報源である画像データソースと、
表示する画像のホールド操作又はホールド解除操作を監視し、前記ホールド操作又は前記ホールド解除操作を受けて、前記第一及び第二の表示部の表示画像を変更する情報変更部と、
前記第一及び第二の表示部の各画面に前記画像データソースより読み出した同一の画像データに基づく画像を表示させ、前記ホールド操作を受けると、前記第一の表示部の前記ホールド操作時点での表示画像を取得して前記第二の表示部に送信させ、前記第一の表示部で前記画像データソースより読み出した前記画像データを変更することにより、前記第一の表示部には変更中の画像を表示させ、前記第二の表示部には前記ホールド操作時点での表示画像を表示させ、前記表示画像の変更後に前記ホールド解除操作を受けると、前記第二の表示部に変更後の前記第一の表示部と同一の画像を表示させる表示切替部と、
前記情報変更部で前記画像データソースより読み出した前記画像データに基づいて変更前の前記画像を記憶するとともに、前記情報変更部で変更後の前記画像を記憶する記憶部と、
を備えることを特徴とする情報表示装置。
【請求項２】
前記表示切替部は、前記表示画像の変更後に、前記ホールド解除操作を受けると、前記第二の表示部に変更後の前記第一の表示部と同一の画像を送信させ、前記第一及び前記第二の表示部の各画面に同一の画像を表示させることを特徴とする、請求項１に記載の情報表示装置。
【請求項３】
前記第一の表示部と前記表示切替部と前記画像データソースとを含む第一の装置と、
前記第二の表示部を含み、前記第一の装置とは独立した第二の装置とで構成され、
前記表示切替部によって制御され、前記第二の表示部の表示を制御する制御部を前記第二の装置に備えることを特徴とする、請求項１又は請求項２に記載の情報表示装置。
【請求項４】
情報表示プログラムであって、第一の表示部及び第二の表示部が接続されるコンピュータに、
表示する画像のホールド操作又はホールド解除操作を監視し、前記第一の表示部及び前記第二の表示部の各画面に画像データソースより読み出した同一の画像データに基づく画像を表示させ、前記ホールド操作を受けると、前記第一の表示部の前記ホールド操作時点での表示画像を取得して前記第二の表示部に送信させ、前記第一の表示部で前記画像データソースより読み出した前記画像データを変更することにより、前記第一の表示部には変更中の画像を表示させ、前記第二の表示部には前記ホールド操作時点での表示画像を表示させ、前記表示画像の変更後に前記ホールド解除操作を受けると、前記第一の表示部及び前記第二の表示部に変更後の同一の画像を表示させる機能と、
変更後の画像を記憶する機能と、
を実現させるための情報表示プログラム。
【請求項５】
コンピュータを用いた情報表示方法であって、
第一の表示部及び第二の表示部に画像を表示させる機能を実行するステップと、
前記画像を変更する機能を実行するステップと、
表示する画像のホールド操作又はホールド解除操作を監視し、前記第一の表示部及び前記第二の表示部の各画面に画像データソースより読み出した同一の画像データに基づく画像を表示させ、前記ホールド操作を受けると、前記第一の表示部の前記ホールド操作時点での表示画像を取得して前記第二の表示部に送信させ、前記第一の表示部で前記画像データソースより読み出した前記画像データを変更することにより、前記第一の表示部には変更中の画像を表示させ、前記第二の表示部には前記ホールド操作時点での表示画像を表示させ、前記表示画像の変更後に前記ホールド解除操作を受けると、前記第一の表示部及び前記第二の表示部に変更後の同一の画像を表示させる機能を実行するステップと、
変更後の画像を記憶する機能を実行するステップと、
を前記コンピュータで実行させることを特徴とする情報表示方法。
【発明の詳細な説明】
【技術分野】
【０００１】
本発明は、複数画面の表示画像の切替えに関し、例えば、表示画像の変更中の画面表示を異ならせる情報表示の装置、プログラム及び方法に関する。
【背景技術】
【０００２】
複数の表示部を備えた情報表示装置では、一つの表示部をユーザの手元に置き、他の表示部（セカンダリモニタ）を会議参加者等に提示し、表示情報を共有することができる。
【０００３】
このような複数の表示部を備える情報表示に関し、プライマリモニタでプレゼンテーション用画像を編集し、プレゼンテーション参加者用のセカンダリモニタに編集後のプレゼンテーション用画像を表示することが知られている（特許文献１）。
【先行技術文献】
【特許文献】
【０００４】
【特許文献１】特開２００７−３０４３３３号公報
【発明の概要】
【発明が解決しようとする課題】
【０００５】
複数の表示部を用いて同一の表示画像を提示している際に、表示内容の編集等、表示画像を変更する場合が生じる。一部の表示部を用いて表示画像を変更し、他の表示部では異なる画像表示をすれば、変更操作が自由に行える。
【０００６】
そこで、本開示の情報表示の装置、プログラム及び方法は、表示画像の修正等、変更操作の利便性を高めることを目的とする。
【課題を解決するための手段】
【０００７】
上記課題を解決するため、本開示の情報表示装置は、第一及び第二の表示部と、画像データソースと、情報変更部と、表示切替部と、記憶部とを備える。前記第一及び第二の表示部は、画面に画像を表示する。画像データソースは、画像データの情報源である。前記情報変更部は、表示する画像のホールド操作又はホールド解除操作を監視し、前記ホールド操作又は前記ホールド解除操作を受けて、前記第一及び第二の表示部の表示画像を変更する。前記表示切替部は、前記第一及び第二の表示部の各画面に前記画像データソースより読み出した同一の画像データに基づく画像を表示させ、前記ホールド操作を受けると、前記第一の表示部の前記ホールド操作時点での表示画像を取得して前記第二の表示部に送信させ、前記第一の表示部で前記画像データソースより読み出した前記画像データを変更することにより、表示画像を変更する。その場合、該表示画像の変更中には、前記第一の表示部には変更中の画像を表示させ、前記第二の表示部には前記ホールド操作時点での表示画像を表示させる。前記表示画像の変更後に前記ホールド解除操作を受けると、前記第二の表示部に変更後の前記第一の表示部と同一の画像を表示させる。そして、前記記憶部は、前記情報変更部で前記画像データソースより読み出した前記画像データに基づいて変更前の前記画像を記憶するとともに、前記情報変更部で変更後の前記画像を記憶する。
【０００８】
上記課題を解決するため、本開示の情報表示プログラムは、情報表示プログラムであって、表示する画像のホールド操作又はホールド解除操作を監視し、第一の表示部及び第二の表示部が接続されるコンピュータに、表示変更機能と、記憶機能とを実現させる。前記表示機能では、前記第一の表示部及び前記第二の表示部の各画面に画像データソースより読み出した同一の画像データに基づく画像を表示させ、前記ホールド操作を受けると、前記第一の表示部の前記ホールド操作時点での表示画像を取得して前記第二の表示部に送信させ、前記第一の表示部で前記画像データソースより読み出した前記画像データを変更することにより、表示画像を変更する。その場合、該表示画像の変更中では、前記第一の表示部には前記変更中の画像を表示させ、前記第二の表示部には前記ホールド操作時点での表示画像を表示させる。前記表示画像の変更後に前記ホールド解除操作を受けると、前記第一の表示部及び前記第二の表示部に変更後の同一の画像を表示させる。そして、前記記憶機能では、変更後の画像を記憶する。
【０００９】
また、上記課題を解決するため、本開示の情報表示方法は、コンピュータを用いた情報表示方法であって、表示ステップと、画像変更ステップと、表示変更ステップと、記憶ステップとを含む。前記表示ステップでは、第一の表示部及び第二の表示部に画像を表示させる機能を実行する。前記画像変更ステップでは、前記画像を変更する機能を実行する。前記表示変更ステップでは、表示する画像のホールド操作又はホールド解除操作を監視し、前記第一の表示部及び前記第二の表示部の各画面に画像データソースより読み出した同一の画像データに基づく画像を表示させ、前記ホールド操作を受けると、前記第一の表示部の前記ホールド操作時点での表示画像を取得して前記第二の表示部に送信させ、前記第一の表示部で前記画像データソースより読み出した前記画像データを変更することにより、表示画像を変更する。その場合、該表示画像の変更中では、前記第一の表示部には変更中の画像を表示させ、前記第二の表示部には前記ホールド操作時点での表示画像を表示させる。また、前記表示画像の変更後に前記ホールド解除操作を受けると、前記第一の表示部及び前記第二の表示部に変更後の同一の画像を表示させる機能を実行する。そして、前記記憶ステップでは、変更後の画像を記憶する機能を実行する。
【発明の効果】
【００１０】
本開示の情報表示の装置、プログラム又は方法によれば、次のような効果が得られる。
【００１１】
(1) 変更中の画像を第一の表示部の画面に表示し、第二の表示部の画面には異なる画像を表示するので、表示画像の変更の利便性が高められるとともに、変更前後の表示画像を管理することができる。
【００１２】
(2) 第二の表示部の画面に変更中の画像を表示しないので、画像表示の変更が容易になる。
【００１３】
そして、本発明の他の目的、特徴及び利点は、添付図面及び各実施の形態を参照することにより、一層明確になるであろう。
【図面の簡単な説明】
【００１４】
【図１】第１の実施の形態に係る情報表示装置の一例を示す図である。
【図２】情報表示の処理手順の一例を示すフローチャートである。
【図３】第２の実施の形態に係る情報表示の処理手順の一例を示すフローチャートである。
【図４】ホールド操作時の情報表示装置を示す図である。
【図５】表示変更時の情報表示装置を示す図である。
【図６】ホールド解除時の情報表示装置を示す図である。
【図７】情報処理装置の一例を示す図である。
【図８】情報表示装置の機能部の一例を示す図である。
【図９】情報処理装置のハードウェアの一例を示す図である。
【図１０】投影装置のハードウェアの一例を示す図である。
【図１１】情報表示の処理手順の一例を示すフローチャートである。
【図１２】画像データ履歴テーブルの一例を示す図である。
【図１３】第３の実施の形態に係る情報表示の処理手順の一例を示すフローチャートである。
【図１４】情報表示装置の機能部の一例を示す図である。
【図１５】投影装置のハードウェアの一例を示す図である。
【図１６】情報表示の処理手順の一例を示すフローチャートである。
【図１７】情報表示の処理手順の一例を示すフローチャートである。
【図１８】処理シーケンスの一例を示す図である。
【図１９】第４の実施の形態に係る情報表示の処理手順の一例を示すフローチャートである。
【図２０】情報表示装置の機能部の一例を示す図である。
【図２１】情報処理装置のハードウェアの一例を示す図である。
【図２２】投影装置のハードウェアの一例を示す図である。
【図２３】情報表示の処理手順の一例を示すフローチャートである。
【図２４】情報表示の処理手順の一例を示すフローチャートである。
【図２５】処理シーケンスの一例を示す図である。
【図２６】他の実施の形態に係る情報表示装置を示す図である。
【図２７】他の実施の形態に係る情報表示装置を示す図である。
【図２８】他の実施の形態に係る情報表示装置を示す図である。
【図２９】他の実施の形態に係る情報表示装置を示す図である。
【発明を実施するための形態】
【００１５】
〔第１の実施の形態〕
【００１６】
第１の実施の形態は、画像の変更中に表示画像を異ならせ、変更前後の画像を記憶部に保存する構成である。画面は、画像を表示又は生成するための手段である。画像又は表示画像は、画面に生成され又は投影される像である。表示画像は、画面に画像によって表示される文字、図形、写真等の情報であればよく、着色画像、陰影等の白黒画像の何れでもよく、音声を伴ってもよい。
【００１７】
この第１の実施の形態について、図１を参照する。図１は、第１の実施の形態に係る情報表示装置の一例を示す図である。図１に示す構成は一例であって、斯かる構成に本発明が限定されるものではない。
【００１８】
この情報表示装置２Ａは、本開示の情報表示の装置、プログラム及び方法の一例であって、図１に示すように、第一の表示部４１と、第二の表示部４２と、情報変更部６と、表示切替部８と、記憶部１０とを備える。これら機能部はコンピュータによって実現される。
【００１９】
表示部４１、４２は、画面に画像を表示させる手段の一例であって、音声出力手段を備えてもよい。
【００２０】
情報変更部６は、表示部４１、４２の画面に表示される画像又は該画像の原情報を変更する手段の一例である。
【００２１】
表示切替部８は、表示部４１、４２の画面に表示される表示情報（表示画像）を変更する手段の一例である。表示部４１、４２の各画面に同一の画像を表示し、情報変更部６による画像の変更に基づき、表示部４１、４２の各画面の表示画像を切り替える。表示画像の変更中、表示部４１には変更中の画像を表示し、表示部４２には変更前の画像を保持し又は変更中の画像とは異なる画像を表示する。そして、表示画像の変更後には、表示部４２に変更後の表示部４１と同一の画像を表示させる。
【００２２】
記憶部１０は、表示画像の画像データ源であって、変更前後の表示情報（表示画像）を記憶する記憶手段の一例である。即ち、この記憶部１０には、情報変更部６で変更前の画像を記憶するとともに、情報変更部６で変更後の画像を記憶する。
【００２３】
そこで、この情報表示の処理手順について、図２を参照する。図２は、情報表示の処理手順の一例を示すフローチャートである。
【００２４】
この処理手順は、本開示の情報表示のプログラム及び方法の一例である。そこで、この処理手順では、図２に示すように、記憶部１０から読み出された表示情報を表示切替部８から表示部４１、４２に入力し、各画面に表示する。この場合、表示情報が変更中でなければ、各画面に同一の画像が表示される（ステップＳ１１）。
【００２５】
表示情報を編集する等、表示情報（表示画像）に変更を生じる（ステップＳ１２）。この場合、この表示情報（表示画像）の変更は、表示部４１の画面を用いて行うものとする。変更された表示画像が記憶部１０に記憶される（ステップＳ１３）。この記憶部１０に記憶される情報は、変更された表示画像の他、履歴情報を含んでもよい。その場合、表示画像の変更が完了したかを監視する（ステップＳ１４）。表示画像の変更が完了しない場合（ステップＳ１４のＮＯ）では、表示画像の変更中であるから、表示部４１、４２には異なる画像が表示される（ステップＳ１５）。この場合、表示部４１の画面には、既述の通り、変更中の画像が表示され、表示部４２の画面には、例えば、変更前の画像がホールドされる。即ち、固定画像となる。
【００２６】
表示画像の変更が完了すれば（ステップＳ１４のＹＥＳ）、表示部４１、４２の画面には同一の画像が表示され（ステップＳ１６）、変更後の画像が表示部４２の画面に表示され、ステップＳ１１にリターンする。
【００２７】
この実施の形態において、表示情報（表示画像）の変更は、例えば、画面に表示された情報に対する追加、削除又は置替え等である。そこで、表示情報は例えば、文書作成ソフトウェア、表計算ソフトウェア、プレゼンテーションソフトウェアで作成されたファイルデータの他、写真又は動画等の画像データ等の何れであってもよい。
【００２８】
〔第２の実施の形態〕
【００２９】
第２の実施の形態は、表示のホールドとホールド解除を実行する構成である。
【００３０】
この第２の実施の形態について、図３を参照する。図３は、情報表示の処理手順の一例を示すフローチャートである。
【００３１】
この実施の形態では、投影装置１４（図４）を備えている。この投影装置１４は既述の表示部４２の一例である。そこで、この処理手順では、図３に示すように、投影装置１４による資料投影を行う（ステップＳ２１）。この資料投影は編集できない画像を表す情報表示の一例である。この資料投影の後、その投影画像のホールド操作を監視し（ステップＳ２２）、ホールド操作を行わない場合には（ステップＳ２２のＮＯ）、ステップＳ２１に戻る。
【００３２】
ホールド操作を行う場合には（ステップＳ２２のＹＥＳ）、投影画像ホールドを実行する（ステップＳ２３）。投影画像ホールドは、投影中の画像の表示を保持することである。
【００３３】
このホールド操作中、ホールド解除操作を監視し（ステップＳ２４）、ホールド解除操作を行わない場合には（ステップＳ２４のＮＯ）、ステップＳ２３に戻る。ホールド解除操作を行った場合には（ステップＳ２４のＹＥＳ）、投影画像ホールド解除を実行し（ステップＳ２５）、投影画像を変更し（ステップＳ２６）、編集した表示情報（表示画像）を記憶部１０に記憶し（ステップＳ２７）、ステップＳ２１に戻る。
【００３４】
次に、この処理手順について、図４、図５及び図６を参照する。図４は、ホールド操作時の情報表示装置を示す図、図５は、表示変更時の情報表示装置を示す図、図６は、ホールド解除時の情報表示装置を示す図である。
【００３５】
この情報表示装置２Ｂは、第一装置として情報処理装置１２と、第二装置として既述の投影装置１４とを備えている。情報処理装置１２は例えば、携帯型コンピュータで構成され、入力部１６と、ディスプレイ部１８とを備えている。入力部１６は情報入力手段の一例であり、ディスプレイ部１８は表示部４１の一例であって、表示画面２０を備える。この表示画面２０は、画像を生成又は表示するハードウェア手段である。
【００３６】
投影装置１４は、表示部４２の一例であって、本体装置２２と、投影画面２４とを備え、表示情報を投影画面２４に投影する手段である。本体装置２２は、ケーブル２５で接続された情報処理装置１２から提供される表示情報を投影画像に変換し、投影画面２４に画像２６を生成させる。投影画面２４は、投影画像２６を生成させるハードウェア手段である。この投影画面２４に対する表示、表示のホールド又はホールド解除は、情報処理装置１２によって制御される。
【００３７】
この情報処理装置１２は、投影画面２４に表示される投影画像２６のホールド機能を有するので、情報処理装置１２でホールド操作が行われた場合には、その時点での画像データをキャプチャし、ホールド状態が維持されている限り、投影装置１４の投影画面２４に表示する。この場合、ディスプレイ部１８にはデータソースのデータが引き続き表示され、編集可能な状態である。そして、情報処理装置１２では、表示情報の編集等の変更操作が終了した後、ホールド解除操作が行われると、ディスプレイ部１８に表示されている編集後の画像データを投影装置１４の投影画面２４に表示する。
【００３８】
(1) 投影画像２６のホールド（図４）
【００３９】
ディスプレイ部１８の表示画面２０には図４に示すように、画像の一例として「ＡＢＣ」が表示される。この場合、投影装置１４の投影画面２４にも同一の画像として投影画像２６である「ＡＢＣ」が表示され、この投影画像２６はホールドされる。
【００４０】
(2) 表示画面２０による編集（図５）
【００４１】
情報処理装置１２は、投影画像２６のホールドの後、図５に示すように、表示情報を編集し、表示画面２０の画像が「ＣＢＡ」に修正されている。
【００４２】
(3) 投影画像２６のホールド解除（図６）
【００４３】
情報処理装置１２は、投影装置１４に対し、投影画像２６のホールド解除を指示すると、投影装置１４は投影画面２４の投影画像２６を「ＡＢＣ」（図５）から「ＣＢＡ」に変更する。ホールド解除の後、図６に示すように、表示画面２０の表示と投影画面２４の表示が同一となる。
【００４４】
このような、表示のホールド、編集及びホールド解除を実行する情報処理装置１２では、ホールド操作を契機にキャプチャした画像データを投影画面２４に表示するため、投影装置１４に送信する機能を有する。情報処理装置１２は投影装置１４に送信するデータを選択するので、投影装置１４側に選択機能を備えなくてもよい。
【００４５】
次に、ホールド操作及びホールド解除操作のキーについて、図７を参照する。図７は、情報処理装置の一例を示す図である。
【００４６】
情報処理装置１２にはキーボード２８が備えられている。このキーボード２８は、入力部１６の一例である。そこで、このキーボード２８にホールド又はホールド解除の機能を割り当て、ホールド又はホールド解除のための信号を生成させる。ホールド又はホールド解除の機能を持つキーとして例えば、ホールドキー３０を設定してもよいし、Fnキー３２とshift キー３４とPrScキー３６との組み合わせで構成してもよい。このような機能割当てキーは、ＪＩＳキーボード、ＡＳＣＩＩキーボード等の全ての規格に準拠するものとする。操作性を考慮すれば、単一キーが有利であるが、誤操作を防止するには、複数のキーの組み合わせが有利である。
【００４７】
ホールド操作は、必要に応じてキーボード２８のホールドキー３０又はFnキー３２とshift キー３４とPrScキー３６との各キー操作により行う。このキー操作により、投影装置１４の投影画像２６がホールドされる。情報処理装置１２での変更を終了すれば、ホールド解除を行う。このホールド解除では、ホールドキー３０の押下又はFnキー３２とshift キー３４とPrScキー３６の押下により実行し、投影画像２６のホールド状態を解除し、投影画像２６を即時に変更する。
【００４８】
また、キーボード２８の操作に代え、情報処理装置１２が投影装置１４を接続した場合に、表示画面２０にホールドキー３８を表示する。ホールドキー３８はタスクキー（ソフトウェアキー）の一例である。この場合、マウス５０によるカーソル操作でホールドキー３８を操作してもよく、また、表示画面２０上に備えられたタッチパネル５２のホールドキー３８の位置をタッチし、ホールド又はホールド解除を行ってもよい。マウス５０、タッチパネル５２は、キーボード２８と同様に入力装置１６の一例である。
【００４９】
次に、情報表示の機能部について、図８を参照する。図８は、情報表示装置の機能部の一例を示す図である。図８において、図４と同一部分には同一符号を付してある。
【００５０】
この情報表示装置２Ｂでは、図８に示すように、情報処理装置１２側に画像データソース５４と、表示切替部５６と、送信部５８と、表示制御部６０と、データ処理部６２と、情報記憶部６４と、入力処理部６６とを備え、投影装置１４側に投影制御部６８を備える。
【００５１】
画像データソース５４は画像データの情報源であって、表示情報を供給する手段の一例である。画像データは表示情報（表示画像）の一例である。この画像データソース５４にある画像データは編集等、変更可能である。
【００５２】
表示切替部５６は、画像データの切替手段の一例である。この場合、画像データソース５４から画像データを吸い上げ、該画像データを表示制御部６０及び投影制御部６８に提供する橋渡しをする機能部であるとともに、送信部５８の送信をオンオフさせることにより、投影制御部６８に送信される画像データの送信を制御する機能を有する。
【００５３】
送信部５８は、画像データの送出手段の一例であって、表示切替部５６から提供される画像データを投影制御部６８に送信し、ホールド時にはデータ処理部６２から提供されるキャプチャ画像を投影制御部６８に送信する手段である。
【００５４】
表示制御部６０は、画像データの表示を制御する手段の一例であって、表示切替部５６から提供される変更前、変更中又は変更後の画像データを受け、この画像データによる画像を表示する。
【００５５】
データ処理部６２は、画像データの処理手段の一例であって、例えば、画像データソース５４から画像データの取得、画像データの変更、変更後の画像データ又はキャプチャ画像の提供等の機能を実行する。そこで、このデータ処理部６２では、入力処理部６６からデータ取得指示を受け、画像データソース５４から取得した画像データを情報記憶部６４に履歴情報とともに保存する処理を実行する。この場合、保存される画像データは、変更後の画像データ、ホールド指示された際のキャプチャ画像であり、履歴情報は画像データの変更履歴や表示履歴を表す情報である。編集等により変更中の画像データは画像データソース５４から提供され、投影制御部６８には、変更後の画像データが画像データソース５４から提供される。
【００５６】
また、このデータ処理部６２では、入力処理部６６からのホールド指示を受け、その時点で、表示切替部５６から投影制御部６８に提供されている画像データの送信を停止するとともに、表示制御部６０に提供されている画像データを取得する。そして、データ処理部６２は、取得された画像データ（キャプチャ画像）を履歴情報とともに情報記憶部６４に保存する。ホールド指示を受け、データ処理部６２は、情報記憶部６４にある画像データを送信部５８から投影制御部６８に提供する。
【００５７】
情報記憶部６４は、画像データ等の各種の情報を記憶する手段であって、画像データソース５４から読み取られた変更前の画像データ、ホールド時点のキャプチャ画像、変更後の画像データ、変更履歴等の情報を記録する。
【００５８】
入力処理部６６は、入力情報の処理、入力情報に対応する表示制御を実行する手段の一例であるとともに、表示画像の変更即ち、情報変更部６の一例である。この場合、キーボード２８（図７）からホールド指示を受けると、その時点で、表示制御部６０に提供されている画像データの取得をデータ処理部６２に指示する。入力処理部６６は、データ処理部６２に対して情報記憶部６４から画像データを送信部５８に送信するように指示し、画像データがファイルの場合にはそのファイルを開くように指示する。また、ホールド解除の指示を受けると、表示切替部５６が送信部５８の送信動作の切替えにより、画像表示を切り替え、送信部５８に対して画像データソース５４から変更後の画像データの送出を指示する。
【００５９】
そして、投影制御部６８は、送信部５８から提供される画像データを投影画像に変換し、投影画面２４（図５）に展開する機能部である。この場合、投影制御部６８には、ホールド時にはデータ処理部６２からキャプチャ画像が提供され、ホールド解除時には変更後の画像が画像データソース５４から提供される。
【００６０】
上記機能部を実現するハードウェアについて、図９及び図１０を参照する。図９は、情報処理装置の構成例を示す図、図１０は投影装置の構成例を示す図である。図９及び図１０において、図４と同一部分には同一符号を付してある。
【００６１】
情報処理装置１２は、図９に示すように、既述の入力部１６と、ディスプレイ部１８と、プロセッサ７０と、出力部７２と、メモリ部７４とを備える。
【００６２】
入力部１６は、キーボード２８、マウス５０、タッチパネル５２等の入力装置の一例であって、プロセッサ７０により制御される。この入力部１６には既述のホールドキー３８が含まれる。
【００６３】
ディスプレイ部１８は画像データ等の表示手段の一例であって、既述の第１の表示部４１（図１）を構成し、プロセッサ７０により制御される。
【００６４】
プロセッサ７０はメモリ部７４にあるプログラムを実行し、データ処理、表示処理等の各種の演算や制御を実行する手段であって、例えば、ＣＰＵ（Central Processing Unit ）等により構成される。このプロセッサ７０はＲＡＭ（Random-Access Memory）８０とともに既述の表示切替部５６、表示制御部６０、データ処理部６２又は入力処理部６６等の機能部を実現する。
【００６５】
出力部７２は、プロセッサ７０により制御される出力手段であって、既述の送信部５８等を構成する。
【００６６】
メモリ部７４は、ＯＳ（Operating System）や各種プログラムの他、画像データ、履歴情報等の記憶又は記録手段の一例である。そこで、このメモリ部７４には、プログラム記憶部７６と、データ記憶部７８と、既述のＲＡＭ８０とを備える。
【００６７】
プログラム記憶部７６は、例えば、ＲＯＭ（Read Only Memory）で構成され、情報表示装置２Ｂの動作制御や表示情報の制御等を実行するためのプログラムを記憶する手段である。このプログラム記憶部７６はＯＳ（Operating System）や、ファームウェアプログラム、アプリケーションプログラム、表示制御プログラム等を格納する。プログラムは、プログラム記憶部７６等に記憶されたものに限られない。例えば、フラッシュメモリ、磁気ディスク、フレキシブルディスク、光ディスク、光磁気ディスク等のコンピュータで読出し可能な記録媒体に記憶されているものを利用してもよい。さらに、ネットワーク上にあるプログラムを読み込んで利用してもよい。
【００６８】
データ記憶部７８は、既述の画像データや、プログラムの実行により生成されるデータを記憶する手段であって、例えば、フラッシュメモリ、磁気ディスク、フレキシブルディスク、光ディスク、光磁気ディスク等の記録媒体で構成すればよい。このデータ記憶部７８は例えば、電気的に内容を書き替えることができるＥＥＰＲＯＭ（Electrically Erasable and Programmable Read Only Memory ）等で構成されてもよい。
【００６９】
このデータ記憶部７８は、画像データ記憶部８２及び履歴記憶部８４を含んでいる。画像データ記憶部８２は、既述の画像データソース５４を構成し、ディスプレイ部１８に表示し又は投影装置１４が投影する画像のデータ又はこの画像データの基となるデータファイルを記憶し、保存する。画像データは、写真や動画等の画像データであり、文書作成ソフト、表計算ソフト又はプレゼンテーションソフト等のアプリケーションソフトウェアを用いて作成したファイルデータでもよい。また、画像データは、アプリケーションソフトウェアを用いて作成したデータファイルから取得される画像データであってもよい。
【００７０】
履歴記憶部８４は、画像データの変更履歴や表示履歴等の履歴情報を格納する手段の一例である。また、ＲＡＭ８０は、各種プログラムを実行するためのワークエリアを構成する。
【００７１】
また、投影装置１４の本体装置２２には、図１０に示すように、プロセッサ８６と、投影部８８と、入力部９０とを備える。
【００７２】
プロセッサ８６は、入力部９０を通して情報処理装置１２と協動する制御手段であって、既述の投影制御部６８を構成する。
【００７３】
投影部８８は、プロセッサ８６により制御され、情報処理装置１２から提供された画像データを投影画像２６に変換し、投影画面２４に展開する手段である。この場合、画像データにはホールド時のキャプチャ画像を含む。
【００７４】
入力部９０は、情報の入力手段の一例であって、情報処理装置１２から提供される画像データの他、プロセッサ８６に対する制御情報を受ける手段である。
【００７５】
次に、情報表示の処理手順について、図１１を参照する。図１１は、画像データ表示の処理手順の一例を示すフローチャートである。
【００７６】
この処理手順は、本開示の情報表示のプログラム及び方法の一例である。この処理手順では、ホールド時、情報処理装置１２（図４、図９）に取得されたキャプチャ画像が投影画像２６として提供される処理を含んでいる。
【００７７】
そこで、この処理手順では、図１１に示すように、画像データの変更前には、入力処理部６６（図８）の指示により、画像データソース５４にある画像データを表示切替部５６からディスプレイ部１８及び投影装置１４の投影画面２４に表示する（ステップＳ３１）。この場合、ディスプレイ部１８及び投影装置１４に提供される画像データは共通であり、ディスプレイ部１８及び投影画面２４には同一の画像が表示される。
【００７８】
この画像データの表示中、入力処理部６６ではホールド操作を監視し（ステップＳ３２）、ホールド操作があるかを判断する。ホールド操作がなければ（ステップＳ３２のＮＯ）、投影装置１４及びディスプレイ部１８の表示画像の共通化が維持される。
【００７９】
ホールド操作があれば（ステップＳ３２のＹＥＳ）、操作時点で、入力処理部６６がデータ処理部６２に対し、その時点の画像データを画像データソース５４から取得（キャプチャ）することを指示する（ステップＳ３３）。
【００８０】
データ処理部６２は、画像データを取得し、その画像データを履歴情報とともに情報記憶部６４に格納し、保存する（ステップＳ３４）。
【００８１】
そして、入力処理部６６から表示切替部５６にホールド信号を送り、表示切替部５６から送信部５８に対し、情報記憶部６４にある画像データ（キャプチャ画像）を送信することを指示する（ステップＳ３５）。
【００８２】
データ処理部６２から送信部５８に提供された画像データは送信部５８から投影制御部６８に送信され、投影画面２４に表示される（ステップＳ３６）。この場合、表示制御部６０には画像データソース５４から画像データがディスプレイ部１８に提供され、表示される。ユーザは、入力処理部６６から画像データを編集等、変更することができる。この変更はディスプレイ部１８に表示されるが、この画像データの変更中、投影画面２４にはキャプチャ画像が表示されているので、変更中の画像データやその作業は表示されない。
【００８３】
この場合、情報記憶部６４に記憶された画像データがデータファイルであれば、データ処理部６２はそのデータファイルを開いて画像データ（キャプチャ画像）を送信部５８に供給し続ける。このホールド状態が保持されている限り、ディスプレイ部１８には画像データソース５４の画像データが表示され、編集可能な状態に維持される。画像データの編集操作等を行えば、ディスプレイ部１８には編集された画像がリアルタイムに表示され、編集作業の確認ができる。投影装置１４ではホールド状態で、表示中の投影画像２６が固定されるので、入力処理部６６による編集作業の経過やその遷移データは表示されない。
【００８４】
この画像データの変更中、即ち、投影画面２４にキャプチャ画像の表示中、入力処理部６６ではホールド解除操作を監視し（ステップＳ３７）、ホールド解除操作があるかを判断する。ホールド解除操作がなければ（ステップＳ３７のＮＯ）、投影装置１４はキャプチャ画像の表示を維持し、ディスプレイ部１８は変更中の画像データによる表示となる。
【００８５】
入力処理部６６にホールド解除操作があれば（ステップＳ３７のＹＥＳ）、入力処理部６６は、表示切替部５６にホールド解除信号を送り、表示切替部５６は、送信部５８に対し、画像データソース５４の編集後の画像データを送信するように指示する（ステップＳ３８）。
【００８６】
斯かる指示を受けた送信部５８は、現在送信中のキャプチャ画像から画像データソース５４の画像データに切り替え、投影制御部６８に送信する。この結果、投影画面２４には、画像データソース５４の画像データが表示され（ステップＳ３９）、投影画面２４の表示がディスプレイ部１８と共通化される。
【００８７】
そして、この表示処理の表示終了を監視し（ステップＳ４０）、表示終了が選択されなければ（ステップＳ４０のＮＯ）、ステップＳ３１にリターンされ、上記処理が継続して実行される。表示終了であれば（ステップＳ４０のＹＥＳ）、この処理を終了する。
【００８８】
次に、画像データの変更について、図１２を参照する。図１２は、画像データ履歴テーブルの一例を示す図である。
【００８９】
この画像データ履歴テーブル９２には、画像データＩＤ９４、変更日時９６、変更箇所９８、変更内容１００が格納される。画像データＩＤ９４には、画像データを識別する識別情報としてＩＤ（IDentification）が格納され、例えば、タイトル、著作者、著作日時の他、要約文やピックアップ画像等が格納される。変更日時９６には、画像データの変更された日時が記録される。変更箇所９８には、画像データの変更箇所を特定する情報が格納され、例えば、文書データであれば、その頁や行数、変更箇所の範囲等が格納される。また、変更内容１００には、画像データの変更内容を表す情報が格納され、例えば、編集内容等が格納される。
【００９０】
上記した第２の実施の形態について、特徴事項、利点又は変形例等を列挙する。
【００９１】
(1) 情報処理装置１２側に投影画面２４に対する投影画像２６のホールド機能を有する。ホールド操作が行われた場合、その時点で画像データをキャプチャし、ホールド状態が継続していれば、同一の投影画像２６を投影装置１４の投影画面２４に表示する。このとき、プライマリモニタ（プライマリディスプレイ）としてのディスプレイ部１８には画像データソース５４の画像データが表示され、編集可能な状態である。編集等の変更操作が終了した後、情報処理装置１２でホールド解除操作が行われると、編集後の画像データが投影装置１４の投影画面２４に表示される。このようなホールド及びホールド解除を実現するため、情報処理装置１２は、ホールド操作を契機にキャプチャした画像データをセカンダリモニタ（セカンダリディスプレイ）である投影装置１４に表示する画像データを送信する送信機能を有する。この場合、情報処理装置１２側で投影装置１４に送信する画像データを選択するので、投影装置１４側にホールド機能や画像選択の機能を持たせる必要がない。
【００９２】
(2) ホールド操作及びホールド解除操作は、キーボード操作では、キーボードのキーに対してホールド（又はホールド解除）の機能を割り当てればよい。
【００９３】
(3) キーボード操作以外にも、投影装置１４の接続時にタスクとして情報処理装置１２のディスプレイ部１８上にソフトキーを表示し、それをマウス操作やタッチ操作で操作し、投影画像２６をホールドし、又はホールド解除をするようにしてもよい。
【００９４】
(4) データ処理部６２は、入力処理部６６からデータ取得の指示を受け、画像データソース５４から取得した画像データを情報記憶部６４に履歴情報とともに保存する。この情報記憶部６４は、画像データ記憶部８２及び履歴記憶部８４で構成される。
【００９５】
(5) 表示切替部５６は、入力処理部６６からホールド解除の通知を受け、送信部５８を介して画像データソース５４の画像データを投影装置１４に送信するように切り替える。この場合、ホールド操作によって取得される画像データは、静止画であるキャプチャ画像であって、ディスプレイ部１８に展開される画像データに比較し、データ容量が小さく、キャプチャから表示までの一連の処理が容易である。また、静止画が展開される投影画面２４にスクロール等の操作や修正を可能にしてもよい。
【００９６】
(6) 情報処理装置１２は、パーソナルコンピュータや、携帯電話機等の情報処理端末、データ送信機能を有する電子装置で構成し、投影装置１４は、画像モニタやテレビ受像機等、受信データを投影する機能を有する電子装置で構成すればよい。上記実施の形態では、本開示の情報表示装置として情報処理装置１２に携帯用コンピュータ、投影装置１４にプロジェクタを例示しているが、これに限定されない。
【００９７】
(7) 情報処理装置１２と投影装置１４の接続は、データ送信可能な機構であればよく、有線、無線を問わない。有線接続では、ＵＳＢ（Universal Serial Bus）ケーブルやＬＡＮ（Local Area Network））等を使用すればよく、無線接続では、Bluetooth 等の近距離無線接続を使用すればよい。
【００９８】
(8) 情報処理装置１２側に待機した操作者がホールド操作を行うことにより、投影装置１４の投影画面２４に表示される投影画像２６をホールド状態にすることができる。
【００９９】
(9) 表示の修正や編集等、表示情報の変更を、その変更内容を確定させるまで（即ち、ホールド解除まで）ディスプレイ部１８の表示のみを用いて作業することができ、セキュリティ面で安全性が高い。
【０１００】
(10)  作業者は表示情報の変更にストレスを感じることなく処理ができ、参加者や閲覧者の監視状態から開放される。また、一定時間、同一資料を投影しておく場合等、一度投影画像２６をホールドすれば、情報処理装置１２側では別作業ができ、時間の有効利用を図ることができる。また、２画面操作で投影している場合では、プライマリモニタとセカンダリモニタに表示される画像が異なるので、その場での編集や操作がしづらいが、このような不都合から開放され、操作者の操作が行い易く、表示情報の変更を自由に行える等、利便性の高い情報表示システムを構築できる。
【０１０１】
〔第３の実施の形態〕
【０１０２】
第３の実施の形態は、情報処理装置及び投影装置側で画像データをホールドする構成である。
【０１０３】
この第３の実施の形態について、図１３を参照する。図１３は、情報表示の処理手順の一例を示すフローチャートである。
【０１０４】
この実施の形態の情報表示装置２Ｃ（図１４）においても、既述の情報表示装置２Ｂ（図４、図５、図６）が用いられ、情報処理装置１２のハードウェア構成（図９）も同様である。
【０１０５】
この実施の形態の情報表示装置２Ｃの処理手順は、本開示の情報表示のプログラム及び方法の一例であって、投影装置１４側に画像データのホールド機能を備えた場合の処理である。
【０１０６】
そこで、この処理手順では、図１３に示すように、投影装置１４による資料投影を行う（ステップＳ４１）。この資料投影は情報表示の一例である。この資料投影の後、投影画像のホールド操作を監視し（ステップＳ４２）、ホールド操作を行わない場合には（ステップＳ４２のＮＯ）、ステップＳ４１に戻る。
【０１０７】
ホールド操作を行う場合には（ステップＳ４２のＹＥＳ）、情報処理装置１２及び投影装置１４で投影画像ホールドを実行する（ステップＳ４３）。即ち、この場合、投影画像ホールドは、投影装置１４側で投影中の投影画像２６の表示を保持することである。
【０１０８】
このホールド操作中、ホールド解除操作を監視し（ステップＳ４４）、ホールド解除操作を行わない場合には（ステップＳ４４のＮＯ）、ステップＳ４３に戻る。ホールド解除操作を行う場合には（ステップＳ４４のＹＥＳ）、投影画像ホールド解除を実行し（ステップＳ４５）、投影画像２６を変更し（ステップＳ４６）、編集した表示情報（表示画像）を情報記憶部６４（画像データ記憶部８２）に記憶し（ステップＳ４７）、ステップＳ４１に戻る。
【０１０９】
斯かる処理によれば、情報処理装置１２及び投影装置１４の双方で画像データのホールド機能を有する。画像データのホールド操作を行った場合、情報処理装置１２はホールド時点で表示されている画像データをキャプチャする。キャプチャされた画像データは投影装置１４に送信する。投影装置１４は、情報処理装置１２から送信されたキャプチャ画像を投影画面２４（図４）に投影する。
【０１１０】
この場合、情報処理装置１２はディスプレイ部１８に対して画像データソース５４から引き続き編集可能な画像データを表示し、投影装置１４に送信するが、投影装置１４側では表示する画像データを切り替えている。このため、投影画面２４にはホールド時の画像データ（キャプチャ画像）が表示される。そして、情報処理装置１２で画像データの変更操作が終了し、ホールド解除操作が行われると、投影装置１４はディスプレイ部１８に表示されている画像データの表示に切り替えられる。この場合、保持しているキャプチャ画像は情報記憶部６４に履歴情報とともに保存する。
【０１１１】
斯かる画像表示では、情報処理装置１２側のホールド操作を契機に投影装置１４にキャプチャした画像データを送信する機能と、投影装置１４側の、ホールド操作を受け画像データを受信すると同時に画像データを保持及び表示する機能と、ホールド解除時の画像データの表示切替え機能とを備えればよい。キャプチャ画像の保持機能はＵＳＢメモリ、Bluetooth メモリ、フラッシュメモリ等の記録媒体を用いてもよい。
【０１１２】
次に、情報表示の機能部について、図１４を参照する。図１４は、第３の実施の形態に係る情報表示装置の機能部の一例を示す図である。図１４において、図８と同一部分には同一符号を付してある。
【０１１３】
この情報表示装置２Ｃの機能部は、図１４に示すように、情報処理装置１２側に画像データソース５４と、送信部５８と、表示制御部６０と、データ処理部６２と、情報記憶部６４と、入力処理部６６とを備える。また、投影装置１４側には、投影制御部６８と、データ処理部１０２と、情報記憶部１０４とを備える。即ち、この情報表示装置２Ｃの機能部は、第２の実施の形態（図８）の投影装置１４側にデータ処理部１０２と情報記憶部１０４とを付加した構成であり、これ以外の機能部は、第２の実施の形態と同様である。
【０１１４】
データ処理部１０２は、入力処理部６６からの指示を受け、各種機能を実行する。この機能には、表示中の画像データのキャプチャ機能、情報記憶部１０４に対するキャプチャ画像の保存指示、画像切替え機能、情報記憶部１０４から情報記憶部６４に対する画像データの転送、情報記憶部６４に対する画像保存指示等の機能が含まれる。この場合、データ処理部１０２が情報処理装置１２側のデータ処理部６２を介してこれらの処理を実行する構成としてもよい。即ち、第２の実施の形態における表示切替部５６による画像切替えの機能が例えば、入力処理部６６、データ処理部６２、画像データソース５４及び送信部５８により実行される。
【０１１５】
情報記憶部１０４は、画像情報を記憶する機能部であって、データ処理部１０２からの指示に基づき、投影中の画像データを保存する。
【０１１６】
この実施の形態のデータ処理部６２は、第２の実施の形態と異なり、データ処理部１０２との間で制御情報の交換や、画像データの授受を行う構成としてもよい。
【０１１７】
そこで、この情報表示装置２Ｃでは、入力処理部６６はホールド指示を受け、その時点でデータ処理部６２に対し、ディスプレイ部１８に表示している画像データをキャプチャし、その画像データファイルとして取得することを指示する。同時に、投影装置１４の投影制御部６８にホールド通知をする。
【０１１８】
データ処理部６２は、入力処理部６６から画像データファイル取得の指示を受け、取得した画像データファイルを情報記憶部１０４に転送する。このとき、転送方法としては赤外線や専用接続コード、Bluetooth 等がある。
【０１１９】
投影装置１４の投影制御部６８は、入力処理部６６からホールド通知を受けた後、情報記憶部１０４に画像データファイルが格納されたかを確認し、そのファイルを開き、送信部５８から送信されている画像データの投影から情報記憶部１０４にある画像データファイルの投影に切り替える。
【０１２０】
このとき、投影装置１４の投影制御部６８は投影する画像データを切り替えるので、情報処理装置１２は、送信部５８から画像データ送信を停止する必要はない。
【０１２１】
また、入力部１６からホールド解除の入力があれば、入力処理部６６は投影装置１４の投影制御部６８にホールド解除を通知する。
【０１２２】
投影制御部６８は入力処理部６６からホールド解除の通知を受けると、情報処理装置１２から送信されている画像データの投影に切り替える。
【０１２３】
入力処理部６６はデータ処理部１０２にホールド解除の通知を行い、通知を受けたデータ処理部１０２は情報記憶部１０４内で保持・投影していた画像データファイルを情報記憶部６４へ履歴情報とともに転送する。その際、情報記憶部１０４側の転送後の画像データを破棄し、情報記憶部１０４の効率的な活用を図る。ホールド操作が複数回行われた場合、データは上書きではなく、別ファイルとして自動的にリネームされ、全て保存される。
【０１２４】
斯かる構成によれば、ホールド操作によって取得されるのは静止画であるキャプチャ画像であり、メリットとしては、データ容量が小さいこと、一連の処理が容易になることは既述の通りである。
【０１２５】
また、この情報表示装置２Ｃでは、キャプチャ画像の保持機能が投影装置１４側に移行し、ホールド解除時、情報記憶部１０４に記憶された画像データが情報記憶部６４に転送されて保存される。画像データの記憶機能の分担により、情報処理装置１２側の負担が軽減されている。
【０１２６】
そして、このような機能部を実現するため、情報処理装置１２のハードウェアは、第２の実施の形態（図９）と同様であるので、その説明を省略する。
【０１２７】
この情報表示装置２Ｃでは、ディスプレイ部１８はプライマリモニタ、投影画面２４はセカンダリモニタに該当し、２画面操作は行わず、プライマリモニタとセカンダリモニタに同一の画像を表示する。投影装置１４は例えば、プロジェクタで構成すればよいが、外付けのディスプレイ装置であってもよい。
【０１２８】
この実施の形態においても、入力部１６は、キーボードやポインティングデバイス等の入力手段であって、この入力部１６にはホールド指示のためのキーを備えればよい。
【０１２９】
次に、投影装置１４の上記機能部を実現するハードウェアについて、図１５を参照する。図１５は、投影装置のハードウェア構成例を示す図である。図１５において、図１０と同一部分には同一符号を付してある。
【０１３０】
この投影装置１４には、既述の投影制御部６８、データ処理部１０２及び情報記憶部１０４を実現するため、図１５に示すように、メモリ部１０６を備え、このメモリ部１０６に画像データ記憶部１０８を備えている。
【０１３１】
メモリ部１０６では、プロセッサ８６によってデータの書込み又は読出しの制御が行われる。このメモリ部１０６には、画像データ記憶部１０８が設定され、この画像データ記憶部１０８には、キャプチャ画像や画像変更の履歴情報が保存される。このメモリ部１０６にある画像データや履歴情報は、既述の通り、ホールド解除を契機に、情報記憶部６４側に転送される。
【０１３２】
投影装置１４について、その他の構成は第２の実施の形態と同様であるので、その説明を省略する。
【０１３３】
次に、情報処理装置１２側の情報表示の処理手順について、図１６を参照する。図１６は、画像データ表示の処理手順の一例を示すフローチャートである。
【０１３４】
この処理手順は、本開示の情報表示のプログラム及び方法の一例である。この処理手順では、ホールド時、情報処理装置１２（図４、図９）側の指示でデータ処理部６２により取得されたキャプチャ画像が投影画像２６として提供される処理を含んでいる。
【０１３５】
そこで、この処理手順では、図１６に示すように、ホールド操作前には、通常処理が実行される（ステップＳ５１）。この通常処理とは、第２の実施の形態で既述した通り、画像データの変更前には、入力処理部６６（図１４）の指示により、画像データソース５４にある画像データをディスプレイ部１８及び投影画面２４に表示する。この場合、ディスプレイ部１８及び投影装置１４に提供される画像データは共通であり、ディスプレイ部１８及び投影画面２４には同一の画像が表示される。
【０１３６】
この通常処理による画像データの表示中、入力処理部６６ではホールド操作を監視し（ステップＳ５２）、ホールド操作があるかを判断する。ホールド操作がなければ（ステップＳ５２のＮＯ）、投影画面２４及びディスプレイ部１８の表示画像の共通化が維持される。即ち、通常処理（ステップＳ５１）が維持される。
【０１３７】
また、ホールド操作があれば（ステップＳ５２のＹＥＳ）、入力処理部６６がデータ処理部６２に対し、その時点で表示されている画像データを画像データソース５４から取得（キャプチャ）することを指示する（ステップＳ５３）。
【０１３８】
データ処理部６２は、画像データを取得し、その画像データを情報記憶部１０４に転送する（ステップＳ５４）。
【０１３９】
そして、入力処理部６６は、投影制御部６８にホールド信号を送る（ステップＳ５５）。
【０１４０】
表示制御部６０は、ディスプレイ部１８に対して画像データソース５４の画像データを表示し、送信部５８は、画像データソース５４の画像データを投影制御部６８に送信する（ステップＳ５６）。ユーザは、入力処理部６６から画像データを編集等、変更することができる。この変更はディスプレイ部１８に表示されるが、この画像データの変更中、投影画面２４にはキャプチャ画像が表示されているので、変更中の画像データやその作業は表示されない。
【０１４１】
この画像データの変更中、即ち、投影画面２４にキャプチャ画像の表示中、入力処理部６６ではホールド解除操作を監視し（ステップＳ５７）、ホールド解除操作があるかを判断する。ホールド解除操作がなければ（ステップＳ５７のＮＯ）、投影装置１４はキャプチャ画像の表示を維持し、ディスプレイ部１８は変更中の画像データによる表示となる。
【０１４２】
入力処理部６６にホールド解除操作があれば（ステップＳ５７のＹＥＳ）、入力処理部６６から投影制御部６８にホールド解除信号を送る（ステップＳ５８）。入力処理部６６からデータ処理部１０２にホールド解除信号を送る（ステップＳ５９）。
【０１４３】
情報記憶部６４は、データ処理部１０２から送信されたデータファイルを編集履歴として保存する（ステップＳ６０）。この結果、表示制御部６０側の画像データによるディスプレイ部１８の画像表示と、投影制御部６８側の投影画面２４に表示される投影画像２６が同一となる。
【０１４４】
そして、この表示処理の表示終了を監視し（ステップＳ６１）、表示終了が選択されなければ（ステップＳ６１のＮＯ）、ステップＳ５１にリターンされ、上記処理が継続して実行される。表示終了であれば（ステップＳ６１のＹＥＳ）、この処理を終了する。
【０１４５】
次に、投影装置１４側の処理手順について、図１７を参照する。図１７は、画像データ表示の処理手順の一例を示すフローチャートである。
【０１４６】
ホールド操作前にあっては、投影装置１４では、投影制御部６８が画像データソース５４の画像データを投影画面２４に投影し、表示する（ステップＳ７１）。データ処理部６２から画像データが送られているかを監視し（ステップＳ７２）、画像データが送られていれば（ステップＳ７２のＹＥＳ）、情報記憶部１０４に画像データを保持させる（ステップＳ７３）。
【０１４７】
入力処理部６６から投影制御部６８にホールド指示の通知があるかを監視し（ステップＳ７４）、ホールド指示の通知があれば（ステップＳ７４のＹＥＳ）、投影制御部６８は入力処理部６６からのホールド信号を受け、情報記憶部１０４を参照する（ステップＳ７５）。
【０１４８】
投影制御部６８は、情報記憶部１０４に画像データがあるかを確認する（ステップＳ７６）。画像データがあれば（ステップＳ７６のＹＥＳ）、投影制御部６８は、送信部５８からの画像データよりも優先させて情報記憶部１０４にある画像データを投影画面２４に表示する（ステップＳ７７）。
【０１４９】
入力処理部６６から投影制御部６８にホールド解除の通知があるかを監視する（ステップＳ７８）。ホールド解除の通知があれば（ステップＳ７８のＹＥＳ）、投影制御部６８は、入力処理部６６からホールド解除信号を受け、送信部５８からの画像データソース５４の画像データを投影画面２４に表示する（ステップＳ７９）。即ち、画像データソース５４からの画像データの表示に切り替える。
【０１５０】
入力処理部６６からデータ処理部１０２にホールド解除の通知があるかを監視する（ステップＳ８０）。ホールド解除の通知があれば（ステップＳ８０のＹＥＳ）、データ処理部１０２は、入力処理部６６からホールド解除信号を受け、情報記憶部１０４にある画像データファイルを情報記憶部６４に保存する（ステップＳ８１）。
【０１５１】
次に、画像表示の処理シーケンスについて、図１８を参照する。図１８は、画像データ表示の処理シーケンスの一例を示すフローチャートである。
【０１５２】
この処理シーケンスでは、情報処理装置１２及び投影装置１４の既述の処理手順（図１６、図１７）について、情報処理装置１２と投影装置１４の処理の関連性に言及している。
【０１５３】
そこで、情報処理装置１２及び投影装置１４では、既述の通常処理を実行する（ステップＳ９１）。この通常処理による画像データの表示中、情報処理装置１２では、入力処理部６６でホールド操作を監視し（ステップＳ９２）、ホールド操作があるかを判断する。ホールド操作がなければ（ステップＳ９２のＮＯ）、通常処理（ステップＳ９１）が維持される。
【０１５４】
また、ホールド操作があれば（ステップＳ９２のＹＥＳ）、その操作時点で、入力処理部６６がデータ処理部６２に対し、表示されている画像データを画像データソース５４から取得（キャプチャ）することを指示する（ステップＳ９３）。
【０１５５】
データ処理部６２は、画像データ（キャプチャ画像）を取得し、その画像データを情報記憶部１０４に転送する（ステップＳ９４）。これに対応し、投影装置１４では、情報記憶部１０４が画像データを保持する（ステップＳ９５）。
【０１５６】
そして、情報処理装置１２の入力処理部６６は、投影制御部６８とデータ処理部１０２にホールド信号を送る（ステップＳ９６）。投影装置１４側では、データ処理部１０２が入力処理部６６からホールド信号を受け、情報記憶部１０４を参照する（ステップＳ９７）。
【０１５７】
データ処理部１０２は、情報記憶部１０４に画像データがあることを確認し、該当する画像データファイルを開く（ステップＳ９８）。投影制御部６８は、送信部５８からの画像データよりも優先させてデータ処理部１０２からの画像データを投影画面２４に表示する（ステップＳ９９）。
【０１５８】
この画像データの変更中、即ち、投影画面２４にキャプチャ画像の表示中、情報処理装置１２側では、入力処理部６６でホールド解除操作を監視し（ステップＳ１００）、ホールド解除操作があるかを判断する。
【０１５９】
ホールド解除操作があれば（ステップＳ１００のＹＥＳ）、入力処理部６６から投影制御部６８にホールド解除信号を送る（ステップＳ１０１）。投影装置１４側では、投影制御部６８が入力処理部６６からホールド解除信号を受け、送信部５８からくる画像データを投影画面２４に表示する（ステップＳ１０２）。即ち、通常処理（ステップＳ９１）に戻る（ステップＳ１０６）。
【０１６０】
情報処理装置１２側では、入力処理部６６からデータ処理部１０２にホールド解除信号を送る（ステップＳ１０３）。投影装置１４側では、データ処理部１０２が、入力処理部６６からホールド解除信号を受け、情報記憶部１０４にある画像データファイルと履歴情報を情報記憶部６４に転送する（ステップＳ１０４）。
【０１６１】
そして、情報処理装置１２側では、情報記憶部６４が画像データファイルをバックアップファイルとして保持し（ステップＳ１０５）、既述の通常処理にリターンする（ステップＳ１０６）。
【０１６２】
この第３の実施の形態においても、既述の第２の実施の形態と同様の効果が得られるとともに、画像データを投影装置１４側の情報記憶部１０４に保存することができ、この画像データを変更履歴とともに情報記憶部６４に転送でき、保存することができる。
【０１６３】
〔第４の実施の形態〕
【０１６４】
第４の実施の形態は、投影装置で表示された表示情報のスクロールや表示資料の切替え等の操作を可能にした構成である。
【０１６５】
この第４の実施の形態について、図１９を参照する。図１９は、情報表示の処理手順の一例を示すフローチャートである。
【０１６６】
この実施の形態では、投影装置１４（図４）を備えている。この投影装置１４は既述の表示部４２の一例であり、セカンダリモニタを構成する。この場合、ディスプレイ部１８はプライマリモニタを構成する。
【０１６７】
そこで、この処理手順では、図１９に示すように、投影装置１４による資料投影を行う（ステップＳ１１１）。この資料投影は情報表示の一例である。この資料投影の後、投影画像のホールド操作を監視し（ステップＳ１１２）、ホールド操作を行わない場合には（ステップＳ１１２のＮＯ）、ステップＳ１１１に戻る。
【０１６８】
ホールド操作を行う場合には（ステップＳ１１２のＹＥＳ）、アクティブなウィンドウのバックアップを実行する（ステップＳ１１３）。そして、投影画面２４に投影画像２６を読取り専用として表示する（ステップＳ１１４）。
【０１６９】
このホールド操作中、ホールド解除操作を監視し（ステップＳ１１５）、ホールド解除を行わない場合には（ステップＳ１１５のＮＯ）、ステップＳ１１４に戻る。ホールド解除を行う場合には（ステップＳ１１５のＹＥＳ）、投影画面２４の投影画像２６を変更し（ステップＳ１１６）、ステップＳ１１１に戻る。
【０１７０】
この実施の形態の情報表示装置２Ｄ（図２０）においても、投影画面２４に表示する投影画像２６のホールド機能を有することは前記実施の形態と同様である。情報処理装置１２（プライマリモニタ）でホールド操作を行うことを契機に、アクティブなファイル（例えば、エクセルやワードファイル等）のバックアップデータを取り、読み取り専用の記憶手段として情報記憶部１１０を構成する。そこで、投影装置１４（セカンダリモニタ）では、情報記憶部１１０にあるバックアップファイルを開き、読み取り専用モニタとして投影画面２４に表示させる。これにより、投影装置１４の投影画面２４（図２２）上において、表示資料の編集はできないが、スクロールや表示資料の切替え等、編集以外の操作が可能となる。要するに、編集が可能な画像データを格納する画像データソース５４に対し、情報記憶部１１０はバックアップ手段を構成している。
【０１７１】
また、ホールド解除操作を行うと、投影装置１４の投影画面２４には情報処理装置１２のディスプレイ部１８の画像を表示する。即ち、セカンダリモニタの画像がプライマリモニタの画像に差し替えられる。このとき、ホールド操作時に取得した画像データはバックアップデータとして情報記憶部１１０に保存され、編集後の内容が不適当であった場合には元のデータを復元することができる。この場合、情報記憶部１１０のバックアップデータファイル部１１２にあるバックアップデータは情報記憶部６４に転送し、バックアップしてもよい。
【０１７２】
斯かる構成では、ホールド操作を行うことによって投影装置１４側の表示を独立した読み取り専用モニタに切り替えられ、これによって、投影画面２４ではスクロールや表示資料の切替え等の処理の操作が可能である。この結果、投影画面２４での操作性を向上させることができる。その他、ホールド操作及びホールド解除操作については、第３の実施の形態と同様であるので、その説明を省略する。
【０１７３】
次に、情報表示の機能部について、図２０を参照する。図２０は、情報表示装置の機能部の一例を示す図である。図２０において、図１４と同一部分には同一符号を付してある。
【０１７４】
この情報表示装置２Ｄでは、投影装置１４側にある情報記憶部１１０には、バックアップデータファイル部１１２を備える。このバックアップデータファイル部１１２は、データバックアップ手段であって、読み取り専用の記憶手段を構成している。
【０１７５】
同様に、情報記憶部６４にもバックアップデータファイル部１１４を備える。このバックアップデータファイル部１１４は、データバックアップ手段であって、読み取り専用の記憶手段を構成している。
【０１７６】
入力処理部６６は、入力部１６からのホールド指示を受け、その時点でディスプレイ部１８に表示されている画像データからアクティブなウィンドウ又は資料のファイル（バックアップデータ）を取得するようにデータ処理部６２に指示する。同時に、投影制御部６８にホールド通知を行う。
【０１７７】
データ処理部６２は、入力処理部６６からデータ取得の指示を受け、取得した画像データファイルを情報記憶部１１０のバックアップデータファイル部１１２に転送する。このとき、転送方法としては赤外線や専用接続コード、Bluetooth 等がある。
【０１７８】
投影装置１４のデータ処理部１０２は、入力処理部６６からホールドの通知を受けると、情報記憶部１１０に画像データが格納されたことを確認した後、その画像データファイルを読み取り専用で開き、投影制御部６８に転送する。
【０１７９】
投影制御部６８は、データ処理部１０２から送信されてくる画像データを送信部５８からの画像データの投影から切り替えて投影する。
【０１８０】
入力部１６からホールド解除の入力があった場合、入力処理部６６は投影制御部６８とデータ処理部１０２にホールド解除を通知する。
【０１８１】
投影制御部６８は入力処理部６６からホールド解除の通知を受け、情報処理装置１２から送信されている画像データの投影に切り替える。データ処理部１０２は、情報記憶部１１０内で保持・投影している画像データを情報記憶部６４のバックアップデータファイル部１１４にバックアップデータとして保存する。このとき、情報記憶部１１０内の画像データはセキュリティのためデータ処理部１０２によって削除すればよい。
【０１８２】
次に、上記機能部を実現するハードウェアについて、図２１及び図２２を参照する。図２１は、情報処理装置のハードウェア構成例を示す図、図２２は、投影装置のハードウェア構成例を示す図である。図２１及び図２２において、図９、図１４と同一部分には同一符号を付してある。
【０１８３】
このような機能部を実現するため、情報処理装置１２には、図２１に示すように、メモリ部７４にあるデータ記憶部７８にバックアップデータ記憶部１１８が備えられている。バックアップデータ記憶部１１８は、既述のバックアップデータファイル部１１４を構成する。
【０１８４】
また、投影装置１４には、図２２に示すように、メモリ部１０６にある画像データ記憶部１０８にバックアップデータ記憶部１２０が備えられている。バックアップデータ記憶部１２０は、既述のバックアップデータファイル部１１２を構成する。
【０１８５】
この情報表示装置２Ｄにおいても、ディスプレイ部１８はプライマリモニタ、投影画面２４はセカンダリモニタに該当し、２画面操作は行わず、プライマリモニタとセカンダリモニタに同一の画像を表示する。投影装置１４は例えば、プロジェクタで構成すればよいが、外付けのディスプレイ装置であってもよい。
【０１８６】
この実施の形態においても、入力部１６は、キーボードやポインティングデバイス等の入力手段であって、この入力部１６にはホールド指示のためのキーを備えればよい。その他の構成は第２の実施の形態及び第３の実施の形態と同様であるので、その説明を省略する。
【０１８７】
次に、情報表示の処理手順について、図２３を参照する。図２３は、画像データ表示の処理手順の一例を示すフローチャートである。
【０１８８】
この処理手順は、本開示の情報表示のプログラム及び方法の一例である。この処理手順では、ホールド時、情報処理装置１２（図４、図９）側の指示でデータ処理部６２により取得されたキャプチャ画像が投影画像２６に提供される処理を含んでいる。
【０１８９】
そこで、この処理手順では、図２３に示すように、ホールド操作前には、通常処理が実行される（ステップＳ１２１）。この通常処理とは、第３の実施の形態で既述した通り、画像データの変更前には、入力処理部６６（図２０）の指示により、画像データソース５４にある画像データをディスプレイ部１８及び投影画面２４に表示する。この場合、ディスプレイ部１８及び投影装置１４に提供される画像データは共通であり、ディスプレイ部１８及び投影画面２４には同一の画像が表示される。
【０１９０】
この通常処理による画像データの表示中、入力処理部６６ではホールド操作を監視し（ステップＳ１２２）、ホールド操作があるかを判断する。ホールド操作がなければ（ステップＳ１２２のＮＯ）、投影装置１４及びディスプレイ部１８の表示画像の共通化が維持される。即ち、通常処理（ステップＳ１２１）が維持される。
【０１９１】
また、ホールド操作があれば（ステップＳ１２２のＹＥＳ）、操作時点で、入力処理部６６がデータ処理部６２に対し、表示されている画像データを画像データソース５４から取得（キャプチャ）することを指示する（ステップＳ１２３）。
【０１９２】
データ処理部６２は、画像データとしてバックアップデータファイルを情報記憶部１１０のバックアップデータファイル部１１２に転送する（ステップＳ１２４）。
【０１９３】
そして、入力処理部６６は、投影制御部６８にホールド信号を送る（ステップＳ１２５）。
【０１９４】
表示制御部６０は、ディスプレイ部１８に対して画像データソース５４の画像データを表示し、送信部５８は、画像データソース５４の画像データを投影制御部６８に送信する（ステップＳ１２６）。ユーザは、入力処理部６６から画像データを編集等、変更することができる。この画像データの変更はディスプレイ部１８に表示されるが、この画像データの変更中、投影画面２４にはキャプチャ画像が表示されているので、変更中の画像データやその作業は表示されない。
【０１９５】
この画像データの変更中、即ち、投影画面２４にキャプチャ画像の表示中、入力処理部６６ではホールド解除操作を監視し（ステップＳ１２７）、ホールド解除操作があるかを判断する。ホールド解除操作がなければ（ステップＳ１２７のＮＯ）、投影装置１４はキャプチャ画像の表示を維持し、ディスプレイ部１８は変更中の画像データによる表示となる。
【０１９６】
入力処理部６６にホールド解除操作があれば（ステップＳ１２７のＹＥＳ）、入力処理部６６から投影制御部６８にホールド解除信号を送る（ステップＳ１２８）。入力処理部６６からデータ処理部１０２にホールド解除信号を送る（ステップＳ１２９）。
【０１９７】
情報記憶部６４は、データ処理部１０２から送信されたデータファイルをバックアップデータファイルとして保存する（ステップＳ１３０）。この結果、表示制御部６０側の画像データによるディスプレイ部１８の画像表示と、投影制御部６８側の投影画面２４に表示される投影画像２６が同一となる。
【０１９８】
そして、この表示処理の表示終了を監視し（ステップＳ１３１）、表示終了が選択されなければ（ステップＳ１３１のＮＯ）、ステップＳ１２１にリターンされ、上記処理が継続して実行される。表示終了であれば（ステップＳ１３１のＹＥＳ）、この処理を終了する。
【０１９９】
次に、投影装置１４側の処理手順について、図２４を参照する。図２４は、画像データ表示の処理手順の一例を示すフローチャートである。
【０２００】
ホールド操作前にあっては、投影装置１４では、投影制御部６８が画像データソース５４の画像データを投影画面２４に投影し、表示する（ステップＳ１４１）。データ処理部６２から画像データファイルが送られているかを監視し（ステップＳ１４２）、画像データファイルが送られていれば（ステップＳ１４２のＹＥＳ）、情報記憶部１１０に画像データを保持させる（ステップＳ１４３）。
【０２０１】
入力処理部６６から投影制御部６８にホールド指示の通知があるかを監視し（ステップＳ１４４）、ホールド指示の通知があれば（ステップＳ１４４のＹＥＳ）、投影制御部６８は入力処理部６６からのホールド信号を受け、情報記憶部１１０を参照する（ステップＳ１４５）。
【０２０２】
投影制御部６８は、情報記憶部１１０に画像データファイルがあるかを確認する（ステップＳ１４６）。画像データファイルがあれば（ステップＳ１４６のＹＥＳ）、投影制御部６８は情報記憶部１１０に送られてきた画像データファイルを読み取り専用で開き、送信部５８からの画像データよりも優先させて投影画面２４に表示する（ステップＳ１４７）。
【０２０３】
入力処理部６６から投影制御部６８にホールド解除の通知があるかを監視する（ステップＳ１４８）。ホールド解除の通知があれば（ステップＳ１４８のＹＥＳ）、投影制御部６８は、入力処理部６６からホールド解除信号を受け、送信部５８からの画像データソース５４の画像データを投影画面２４に表示する（ステップＳ１４９）。即ち、画像データソース５４からの画像データの表示に切り替える。
【０２０４】
入力処理部６６からデータ処理部１０２にホールド解除の通知があるかを監視する（ステップＳ１５０）。ホールド解除の通知があれば（ステップＳ１５０のＹＥＳ）、データ処理部１０２は、入力処理部６６からホールド解除信号を受け、情報記憶部１１０にある画像データファイルを情報記憶部６４に保存する（ステップＳ１５１）。
【０２０５】
次に、画像表示の処理シーケンスについて、図２５を参照する。図２５は、画像データ表示の処理シーケンスの一例を示すフローチャートである。
【０２０６】
この処理シーケンスでは、情報処理装置１２及び投影装置１４の既述の処理手順（図２３、図２４）について、情報処理装置１２と投影装置１４の処理の関連性に言及している。
【０２０７】
そこで、情報処理装置１２及び投影装置１４では、既述の通常処理を実行する（ステップＳ１６１）。この通常処理による画像データの表示中、情報処理装置１２では、入力処理部６６でホールド操作を監視し（ステップＳ１６２）、ホールド操作があるかを判断する。ホールド操作がなければ（ステップＳ１６２のＮＯ）、通常処理（ステップＳ１６１）が維持される。
【０２０８】
また、ホールド操作があれば（ステップＳ１６２のＹＥＳ）、その操作時点で、入力処理部６６がデータ処理部６２に画像データソース５４のバックアップデータファイルを取るように指示する（ステップＳ１６３）。
【０２０９】
データ処理部６２は、画像データファイルを情報記憶部１１０に転送する（ステップＳ１６４）。これに対応し、投影装置１４では、情報記憶部１１０が画像データファイルを保持する（ステップＳ１６５）。
【０２１０】
そして、情報処理装置１２の入力処理部６６は、投影制御部６８とデータ処理部１０２にホールド信号を送る（ステップＳ１６６）。投影装置１４側では、データ処理部１０２が入力処理部６６からホールド信号を受け、情報記憶部１１０を参照する（ステップＳ１６７）。
【０２１１】
データ処理部１０２は、情報記憶部１１０に画像データがあることを確認した後、該当する画像データファイルを読み取り専用で開く（ステップＳ１６８）。投影制御部６８は、送信部５８からの画像データよりも優先させてデータ処理部１０２からの画像データを投影画面２４に表示する（ステップＳ１６９）。
【０２１２】
この画像データの変更中、即ち、投影画面２４にキャプチャ画像の表示中、入力処理部６６ではホールド解除操作を監視し（ステップＳ１７０）、ホールド解除操作があるかを判断する。
【０２１３】
ホールド解除操作があれば（ステップＳ１７０のＹＥＳ）、入力処理部６６から投影制御部６８にホールド解除信号を送る（ステップＳ１７１）。投影装置１４側では、投影制御部６８が入力処理部６６からホールド解除信号を受け、送信部５８からの画像データを投影画面２４に表示する（ステップＳ１７２）。即ち、通常処理（ステップＳ１６１）に戻る（ステップＳ１７６）。
【０２１４】
情報処理装置１２側では、入力処理部６６からデータ処理部１０２にホールド解除信号を送る（ステップＳ１７３）。投影装置１４側では、データ処理部１０２が入力処理部６６からホールド解除信号を受け、情報記憶部１１０にある画像データファイルを情報記憶部６４に転送する（ステップＳ１７４）。
【０２１５】
そして、情報処理装置１２側では、情報記憶部６４が画像データファイルをバックアップファイルとして保持し（ステップＳ１７５）、既述の通常処理にリターンする（ステップＳ１７６）。
【０２１６】
この第４の実施の形態においても、第２の実施の形態で示した効果が得られるとともに、バックアップデータファイルとして保存された画像データは、書替え可能な画像データを保存する画像データソース５４をバックアップできる。これにより、画像データの保存性を高めることができる。
【０２１７】
〔他の実施の形態〕
【０２１８】
(1) 上記実施の形態では、情報処理装置１２に携帯用コンピュータ、投影装置１４にプロジェクタを用いた構成例を示したが、これに限定されない。情報処理装置１２に携帯電話機２１２を用いて情報表示装置２Ｅ（図２６）、情報処理装置１２に携帯情報端末機（ＰＤＡ：Personal Digital Assistant）３１２又は電子ゲーム機を用いて情報表示装置２Ｆ（図２７）を構成してもよい。投影装置１４にパーソナルコンピュータや、テレビジョン受像機２１４を用いて情報表示装置２Ｇ（図２８）を構成してもよい。また、情報処理装置１２にディジタルカメラ４１２、投影装置１４にテレビジョン受像機２１４を用いて情報表示装置２Ｈ（図２９）を構成してもよい。これら情報表示装置２Ｅ〜２Ｈにおいて、上記実施の形態と共通部分には同一符号を付し、その説明を省略する。
【０２１９】
(2) 上記実施の形態では、投影装置１４をホールドする側の装置として説明し、ディスプレイ部１８を表示情報がリアルタイムに変更される側の装置として説明したが、これに限定されない。例えば、ディスプレイ部をホールドする側の装置とし、投影装置をリアルタイムに変更される側の装置としてもよい。また、ホールドする側の装置及びリアルタイムに変更される側の装置の双方をディスプレイ部又は投影装置で構成することも可能である。
【０２２０】
(3) 上記実施の形態では、情報処理装置１２と投影装置１４とを以て情報表示装置２Ａ、２Ｂ、２Ｃ、２Ｄとしたが、この情報表示装置２Ａ、２Ｂ、２Ｃ、２Ｄで情報処理が可能な会議装置、プレゼンテーション装置、広告装置を構成してもよい。
【０２２１】
(4) 上記実施の形態では、情報処理装置１２にディスプレイ部１８を合体させているが、これに限定されない。例えば、ディスプレイ部１８と情報処理装置１２とを分離し、ディスプレイ部１８と情報処理装置１２とをケーブルにより接続する構成としてもよい。
【０２２２】
(5) 上記実施の形態では、情報処理装置１２と投影装置１４とをケーブル２５（図４）により接続しているが、これに限定されない。例えば、電話回線、ネットワーク回線等で情報処理装置１２と投影装置１４とを接続してもよい。
【０２２３】
(6) 入力部１６又はディスプレイ部１８は、情報処理装置１２の外部装置として構成してもよい。
【０２２４】
(7) 上記実施の形態の表示処理は、コンピュータにより実行可能なプログラムによって処理されてもよい。この場合、プログラムは、磁気ディスク、フレキシブルディスク、ハードディスク、光ディスク、光磁気ディスク等の記録媒体に格納される。コンピュータによる実行は、例えば、ＯＳやアプリケーションソフトウェアを実行するプロセッサ等に読み取られて行われる。
【０２２５】
(8) 第２の実施の形態では、表示切替部５６（図８）を備え、第３の実施の形態及び第４の実施の形態では表示切替部５６を用いることなく、画像切替えを実行しているが、これに限定されない。第３の実施の形態及び第４の実施の形態においても、同様に、表示切替部５６を備えることにより、画像切替えの処理を実行する構成としてもよい。
【０２２６】
(9) 第３の実施の形態及び第４の実施の形態では、投影装置１４側にプロセッサ８６やメモリ部１０６等を備えた構成としているが、斯かる構成に限定されない。投影装置１４側に情報処理装置１２と同様に、パーソナルコンピュータを接続し、プロセッサ８６等を内蔵したと同様の処理を行うようにしてもよい。
【０２２７】
〔比較例〕
【０２２８】
画像情報を投影する投影装置を用いた会議では、リアルタイムで画像を投影している。この場合、２画面操作によって特定資料のみ投影しながら端末上で他操作を行ってきたが、投影中の資料を編集する場合にはその編集操作を隠すことはできない。このため、その場で資料に変更を加える必要がある場合、セキュリティ操作を含む全ての操作を常に周囲の人たちに見られてしまい、情報の漏洩等、安全性に欠ける。タイピング等の動作が全て見えるため、ミスをした場合に操作者のみならずその他の参加者に不快感を与える。また、投影資料の変更等、排他的な操作を行う場合、その間、出席者全員が待ち時間となり無駄な時間となる。
【０２２９】
そこで、セカンダリモニタ上の資料を変更する際等に一度投影画面をホールドし、プライマリモニタ（端末）上で変更が確定した後、投影画面を変更後の画面に切り替えるというシステムを構築する。この場合、従来のセカンダリモニタを利用した投影方法には大きく分別して次の３つがある。第１に、プライマリモニタとセカンダリモニタ上を移動できるように設定している場合、第２に、プライマリモニタとセカンダリモニタに同一の画面を表示している場合、第３に、セカンダリモニタのみに表示している場合である。
【０２３０】
第１の場合では、プライマリモニタとセカンダリモニタは異なる表示なので、そもそもダミーを表示する必要性はない。第２の場合では、変更中の情報がセカンダリモニタに表示され、これが問題である。また、第３の場合では、端末側からの操作性も低く、プレゼンテーション等でこの方式をとることは少ない。
【０２３１】
次に、以上述べた実施の形態から抽出される技術的思想に関し、更に以下の付記を開示する。なお、以下の付記に本発明が限定されるものではない。
【０２３２】
（付記１）  画面に画像を表示する第一の表示部及び第二の表示部と、
前記第一及び第二の表示部の表示画像を変更する情報変更部と、
前記第一及び第二の表示部の各画面に同一の画像を表示させ、前記情報変更部の変更に基づき、前記表示画像の変更中、前記第一の表示部には変更中の画像を表示させ、前記第二の表示部には変更前の画像を保持し又は変更中の画像とは異なる画像を表示させ、前記表示画像の変更後には、前記第二の表示部に変更後の前記第一の表示部と同一の画像を表示させる表示切替部と、
前記情報変更部で変更前の前記画像を記憶するとともに、前記情報変更部で変更後の前記画像を記憶する記憶部と、
を備えることを特徴とする情報表示装置。
【０２３３】
（付記２）  前記表示画像の変更履歴を記録する履歴記録部を備えることを特徴とする、付記１に記載の情報表示装置。
【０２３４】
（付記３）  前記第一の表示部と前記表示切替部とを含む第一の装置と、
前記第二の表示部を含み、前記第一の装置とは独立した第二の装置とで構成され、
前記表示切替部によって制御され、前記第二の表示部の表示を制御する制御部を前記第二の装置に備えることを特徴とする、付記１に記載の情報表示装置。
【０２３５】
（付記４）  前記第二の装置に固定表示情報を格納し又は前記第一の装置から提供される表示情報を記憶する情報記憶部を備えることを特徴とする、付記３に記載の情報表示装置。
【０２３６】
（付記５）  情報表示プログラムであって、第一の表示部及び第二の表示部が接続されるコンピュータに、
前記第一の表示部及び前記第二の表示部の各画面に同一の画像を表示させ、前記第一及び第二の表示部の表示画像の変更に基づき、表示画像の変更中、前記第一の表示部には変更中の画像を表示させ、前記第二の表示部には変更前の画像を保持し又は変更中の画像とは異なる画像を表示させ、前記表示画像の変更後には、前記第一の表示部及び前記第二の表示部に変更後の同一の画像を表示させる機能と、
変更後の画像を記憶する機能と、
を実現させるための情報表示プログラム。
【０２３７】
（付記６）  コンピュータを用いた情報表示方法であって、
第一の表示部及び第二の表示部に画像を表示させる機能を実行するステップと、
前記画像を変更する機能を実行するステップと、
前記第一の表示部及び前記第二の表示部の各画面に同一の画像を表示させ、画像変更に基づき、表示画像の変更中、前記第一の表示部には変更中の画像を表示させ、前記第二の表示部には変更前の画像を保持し又は変更中の画像とは異なる画像を表示させ、前記表示画像の変更後には、前記第一の表示部及び前記第二の表示部に変更後の同一の画像を表示させる機能を実行するステップと、
変更後の画像を記憶する機能を実行するステップと、
を前記コンピュータで実行させることを特徴とする情報表示方法。
【０２３８】
以上説明したように、情報表示の装置、プログラム又は方法の好ましい実施の形態について説明したが、本発明は、上記記載に限定されるものではなく、特許請求の範囲に記載され、又は発明を実施するための最良の形態に開示された発明の要旨に基づき、当業者において様々な変形や変更が可能であることは勿論であり、斯かる変形や変更が、本発明の範囲に含まれることは言うまでもない。
【産業上の利用可能性】
【０２３９】
本開示の情報表示の装置、プログラム又は方法は、表示情報の変更中に表示を異ならせ、表示情報の変更後に各表示を共通化することができ、表示情報が変更中である間、異ならせた一方の表示には、変更中の情報を表示させないし、また、変更前後の情報やその変更履歴を保存でき、情報活用の自由度を高めることができ、利用性が高い。
【符号の説明】
【０２４０】
２Ａ、２Ｂ、２Ｃ、２Ｄ、２Ｅ、２Ｆ、２Ｇ、２Ｈ  情報表示装置
４１  第一の表示部
４２  第二の表示部
６  情報変更部
８  表示切替部
１０  記憶部
１２  情報処理装置
１４  投影装置
１６  入力部
１８  ディスプレイ部
２４  投影画面
２６  投影画像
５６  表示切替部
６０  表示制御部
６２  データ処理部
６４  情報記憶部
６６  入力処理部
６８  投影制御部
８４  履歴記憶部
９２  画像データ履歴テーブル
【図１】
0005617255.tif 000002
【図２】
0005617255.tif 000003
【図３】
0005617255.tif 000004
【図４】
0005617255.tif 000005
【図５】
0005617255.tif 000006
【図６】
0005617255.tif 000007
【図７】
0005617255.tif 000008
【図８】
0005617255.tif 000009
【図９】
0005617255.tif 000010
【図１０】
0005617255.tif 000011
【図１１】
0005617255.tif 000012
【図１２】
0005617255.tif 000013
【図１３】
0005617255.tif 000014
【図１４】
0005617255.tif 000015
【図１５】
0005617255.tif 000016
【図１６】
0005617255.tif 000017
【図１７】
0005617255.tif 000018
【図１８】
0005617255.tif 000019
【図１９】
0005617255.tif 000020
【図２０】
0005617255.tif 000021
【図２１】
0005617255.tif 000022
【図２２】
0005617255.tif 000023
【図２３】
0005617255.tif 000024
【図２４】
0005617255.tif 000025
【図２５】
0005617255.tif 000026
【図２６】
0005617255.tif 000027
【図２７】
0005617255.tif 000028
【図２８】
0005617255.tif 000029
【図２９】
0005617255.tif 000030